(57)【要約】【課題】  少人数の作業員により印刷テ−ブルを必要最小限で、簡易迅速に上昇させる。エアーポケット部の駆動機構や調整機構等の各種機構のメンテナンスや修理を簡易迅速に行う。【解決手段】  印刷テーブル２０を左右の分割部２１，２２に分割形成する。左右の分割部２１，２２の前後端部とエアーポケット部１７の対向する前後端部に上下昇降手段４１を夫々設け、左右の分割部２１，２２の何れか一方を上下昇降させ、エアーポケット部１７に収納された駆動機構や調整機構等を点検及び調整する。上下昇降手段４１を雌ねじ４３と、雌ねじ４３と螺合するスクリューシャフト４５と、上部に連結されたクランクアーム部４７と、エアーポケット部１７のスクリューシャフト４５の下端４５ａと対向する位置に設けられた受部４９とから形成する。【選択図】  図４
2006213038.tif 000002
【特許請求の範囲】
【請求項１】
版枠ホルダーに保持される版枠と、該版枠に保持されるスクリーンとからなる印刷用スクリ−ン版と、前記スクリーンに沿って往復動するスキージヘッドに取付けられたスキージと、被印刷物を順次所定の位置に載置することのできる印刷テ−ブルと、該印刷テ−ブルの下方に設けられたエアーポケット部とを有し、該エアーポケット部に駆動機構や調整機構等が収納され、これら駆動機構や調整機構の配線及び配管がエアーポケット部に配設され、前記印刷テ−ブル上に載置された被印刷物に連続的に印刷することのできるスクリ−ン印刷装置において、
前記印刷テーブルが複数の分割部に分割形成され、該印刷テーブルの分割部を上下昇降手段により上下昇降させ、エアーポケット部に収納された駆動機構や調整機構等を点検及び調整することができるようになされていることを特徴とするスクリ−ン印刷装置。
【請求項２】
版枠ホルダーに保持される版枠と、該版枠に保持されるスクリーンとからなる印刷用スクリ−ン版と、前記スクリーンに沿って往復動するスキージヘッドに取付けられたスキージと、被印刷物を順次所定の位置に載置することのできる印刷テ−ブルと、該印刷テ−ブルの下方に設けられたエアーポケット部とを有し、該エアーポケット部に駆動機構や調整機構等が収納され、これら駆動機構や調整機構の配線及び配管がエアーポケット部に配設され、前記印刷テ−ブル上に載置された被印刷物に連続的に印刷することのできるスクリ−ン印刷装置において、
前記印刷テーブルが左右の分割部に分割形成され、該印刷テーブルの左右の分割部の前後端部とエアーポケット部の対向する前後端部に上下昇降手段が夫々設けられ、該上下昇降手段により前記印刷テーブルの左右の分割部を上下昇降させ、エアーポケット部に収納された駆動機構や調整機構等を点検及び調整することができるようになされていることを特徴とするスクリ−ン印刷装置。
【請求項３】
前記上下昇降手段が印刷テーブルの端部に上下方向に螺設された雌ねじと、該雌ねじと螺合するスクリューシャフトと、該スクリューシャフトの上部に連結されたクランクアーム部と、前記エアーポケット部の前記スクリューシャフトの下端と対向する位置に設けられた受部とを有し、前記クランクアーム部の回転により前記スクリューシャフトが回転し、前記印刷テーブルの分割部が上下方向に移動するようになされていることを特徴とする請求項１または請求項２に記載のスクリ−ン印刷装置。
【請求項４】
前記上下昇降手段が印刷テーブルの分割部の端部と、該印刷テーブルの端部と対向する前記エアーポケット部との間に着脱自在に設けられる昇降ジャッキからなり、該昇降ジャッキを作動させることにより前記印刷テーブルの分割部が上下方向に移動するようになされていることを特徴とする請求項１または請求項２に記載のスクリ−ン印刷装置。
【発明の詳細な説明】
【技術分野】
【０００１】
本発明はスクリ−ン印刷装置に関し、更に詳細に説明すると、版枠ホルダーに保持される版枠と、該版枠に保持されるスクリーンとからなる印刷用スクリ−ン版と、前記スクリーンに沿って往復動するスキージヘッドに取付けられたスキージと、被印刷物を順次所定の位置に載置することのできる印刷テ−ブルと、該印刷テ−ブルの下方に設けられたエアーポケット部とを有し、該エアーポケット部に駆動機構や調整機構等が収納され、これら駆動機構や調整機構の配線及び配管がエアーポケット部に配設され、前記印刷テ−ブル上に載置された被印刷物に連続的に印刷することのできるスクリ−ン印刷装置に関する。
【背景技術】
【０００２】
従来より、スクリ−ン印刷装置を用いたスクリ−ン印刷においては、印刷テ−ブルの下方に設けられたエアーポケット部に位置決めピンの駆動機構やワーク検知センサー，平坦度調整機構，助走板駆動機構，真空吸着機構、更にはコロ搬送機構等が収納され、これら駆動機構や調整機構等の機構の配線及び配管がエアーポケット部に収納されている。
【０００３】
前記スクリ−ン印刷装置がＰＤＰ用等の大型の印刷装置においては、印刷テ−ブルの面積が大きく、１枚板であれば重量が大きく、簡易に取外しができず、このため、エアーポケット部の駆動機構や調整機構等の各種機構のメンテナンスや修理を行う場合等には、印刷テ−ブルの上面より長さ５０mm位のボルトをねじ込み、作業員の指が入る位の隙間を開け、複数の例えば４人の作業員により印刷テ−ブルを３００mm位持ち上げておき、他の作業員がその隙間より手を挿入し、駆動機構や調整機構等の機構の調整や取付け取外しを行っていた。あるいは、印刷テ−ブルを下方のエアーポケット部より一回り大きく形成し、手を挿入し得るように構成していた。
【０００４】
従来のスクリ−ン印刷装置は版枠ホルダーに保持される版枠と、該版枠に保持されるスクリーンとからなる印刷用スクリ−ン版と、前記スクリーンに沿って往復動するスキージヘッドに取付けられたスキージと、被印刷物を順次所定の位置に載置することのできる印刷テ−ブルとを備えており、このようなスクリ−ン印刷装置は特許文献１に記載されている。
【特許文献１】特開２００４−３４５２９
【発明の開示】
【発明が解決しようとする課題】
【０００５】
然し乍ら、従来のＰＤＰ用等の大型のスクリ−ン印刷装置では、印刷テ−ブルの面積が大きく、例えばこの大型のスクリ−ン印刷装置の印刷テ−ブルの重量が４００〜５００Kgとなり、簡単に取外しができず、エアーポケット部の駆動機構や調整機構等の各種機構のメンテナンスや修理を行う場合等には、４人掛かりで作業を行わなければならず、簡易迅速なメンテナンスや修理を行うことができないものであった。また、印刷テ−ブルとエアーポケット部との間に上下昇降手段を予め設けておき、自動的に駆動できる機構の場合には、機構が複雑で調整作業が煩雑となる欠点を有し、更にスクリ−ン印刷装置のコストが上昇する欠点を有し、経済性に欠けるものであった。
【０００６】
本発明は、このような事情に鑑みてなされたもので、少人数の作業員により印刷テ−ブルを必要最小限で、簡易迅速に上昇させることができ、エアーポケット部の駆動機構や調整機構等の各種機構のメンテナンスや修理を簡易迅速に行うことができ、必要な時にのみ印刷テ−ブルを上昇させる上下昇降手段を利用することができ、スクリ−ン印刷装置のコストアップを避けることができ、経済性に優れたスクリ−ン印刷装置を提供することを目的としている。
【課題を解決するための手段】
【０００７】
上記目的を達成するために、本発明の請求項１記載のスクリ−ン印刷装置は、版枠ホルダーに保持される版枠と、該版枠に保持されるスクリーンとからなる印刷用スクリ−ン版と、前記スクリーンに沿って往復動するスキージヘッドに取付けられたスキージと、被印刷物を順次所定の位置に載置することのできる印刷テ−ブルと、該印刷テ−ブルの下方に設けられたエアーポケット部とを有し、該エアーポケット部に駆動機構や調整機構等が収納され、これら駆動機構や調整機構の配線及び配管がエアーポケット部に配設され、前記印刷テ−ブル上に載置された被印刷物に連続的に印刷することのできるスクリ−ン印刷装置において、
前記印刷テーブルが複数の分割部に分割形成され、該印刷テーブルの分割部を上下昇降手段により上下昇降させ、エアーポケット部に収納された駆動機構や調整機構等を点検及び調整することができるようになされていることを特徴とする。
【０００８】
また、本発明の請求項２記載のスクリ−ン印刷装置は、版枠ホルダーに保持される版枠と、該版枠に保持されるスクリーンとからなる印刷用スクリ−ン版と、前記スクリーンに沿って往復動するスキージヘッドに取付けられたスキージと、被印刷物を順次所定の位置に載置することのできる印刷テ−ブルと、該印刷テ−ブルの下方に設けられたエアーポケット部とを有し、該エアーポケット部に駆動機構や調整機構等が収納され、これら駆動機構や調整機構の配線及び配管がエアーポケット部に配設され、前記印刷テ−ブル上に載置された被印刷物に連続的に印刷することのできるスクリ−ン印刷装置において、
前記印刷テーブルが左右の分割部に分割形成され、該印刷テーブルの左右の分割部の前後端部とエアーポケット部の対向する前後端部に上下昇降手段が夫々設けられ、該上下昇降手段により前記印刷テーブルの左右の分割部を上下昇降させ、エアーポケット部に収納された駆動機構や調整機構等を点検及び調整することができるようになされていることを特徴とする。
【０００９】
また、本発明の請求項３記載のスクリ−ン印刷装置は、前記請求項１または請求項２の発明において、前記上下昇降手段が印刷テーブルの端部に上下方向に螺設された雌ねじと、該雌ねじと螺合するスクリューシャフトと、該スクリューシャフトの上部に連結されたクランクアーム部と、前記エアーポケット部の前記スクリューシャフトの下端と対向する位置に設けられた受部とを有し、前記クランクアーム部の回転により前記スクリューシャフトが回転し、前記印刷テーブルの分割部が上下方向に移動するようになされていることを特徴とする。
【００１０】
また、本発明の請求項４記載のスクリ−ン印刷装置は、前記請求項１または請求項２の発明において、前記上下昇降手段が印刷テーブルの分割部の端部と、該印刷テーブルの端部と対向する前記エアーポケット部との間に着脱自在に設けられる昇降ジャッキからなり、該昇降ジャッキを作動させることにより前記印刷テーブルの分割部が上下方向に移動するようになされていることを特徴とする。
【発明の効果】
【００１１】
本発明の請求項１に係わるスクリ−ン印刷装置によれば、印刷テーブルが複数の分割部に分割形成され、該印刷テーブルの分割部を上下昇降手段により上下昇降させることができ、分割された分割部だけを上下昇降手段により上下昇降させることができ、多数の作業員がいない場合にも少人数の作業員により印刷テ−ブルを簡易迅速に上昇させることができ、エアーポケット部の駆動機構や調整機構等の各種機構のメンテナンスや修理を簡易迅速に行うことができ、スクリ−ン印刷装置のコストアップを避けることができ、経済性に優れたスクリ−ン印刷装置を得ることができる。
【００１２】
本発明の請求項２に係わるスクリ−ン印刷装置によれば、印刷テーブルが左右の分割部に分割形成され、該印刷テーブルの左右の分割部の前後端部とエアーポケット部の対向する前後端部に上下昇降手段が夫々設けられ、該上下昇降手段により前記印刷テーブルの左右の分割部の何れか一方または双方を順次上下昇降させ、エアーポケット部に収納された駆動機構や調整機構等を点検及び調整することができ、分割された左右の分割部だけを上下昇降手段により上下昇降させることができ、多数の作業員がいない場合にも少人数の作業員により左右の分割部の印刷テ−ブルを簡易迅速に上昇させることができ、エアーポケット部の駆動機構や調整機構等の各種機構のメンテナンスや修理を簡易迅速に行うことができ、スクリ−ン印刷装置のコストアップを避けることができ、経済性に優れたスクリ−ン印刷装置を得ることができる。
【００１３】
本発明の請求項３に係わるスクリ−ン印刷装置によれば、前記上下昇降手段が印刷テーブルの端部に上下方向に螺設された雌ねじと、該雌ねじと螺合するスクリューシャフトと、該スクリューシャフトの上部に連結されたクランクアーム部と、前記エアーポケット部の前記スクリューシャフトの下端と対向する位置に設けられた受部とを有し、前記クランクアーム部の回転により前記スクリューシャフトが回転し、前記印刷テーブルの分割部が上下方向に移動するようになされているので、分割された分割部だけを上下昇降手段により上下昇降させることができ、多数の作業員がいない場合にも少人数の作業員により印刷テ−ブルを簡易迅速に上昇させることができ、エアーポケット部の駆動機構や調整機構等の各種機構のメンテナンスや修理を簡易迅速に行うことができ、クランクアーム部やスクリューシャフトは通常時取外して保管しておけばよいので、印刷作業の邪魔にならず、スクリ−ン印刷装置のコストアップを避けることができ、経済性に優れたスクリ−ン印刷装置を得ることができる。
【００１４】
本発明の請求項４に係わるスクリ−ン印刷装置によれば、前記上下昇降手段が印刷テーブルの分割部の端部と、該印刷テーブルの端部と対向する前記エアーポケット部との間に着脱自在に設けられる昇降ジャッキからなり、該昇降ジャッキを作動させることにより前記印刷テーブルの分割部が上下方向に移動するようになされているので、分割された分割部だけを上下昇降手段により上下昇降させることができ、多数の作業員がいない場合にも少人数の作業員により印刷テ−ブルを簡易迅速に上昇させることができ、エアーポケット部の駆動機構や調整機構等の各種機構のメンテナンスや修理を簡易迅速に行うことができ、昇降ジャッキは通常時取外して保管しておけばよいので、印刷作業の邪魔にならず、スクリ−ン印刷装置のコストアップを避けることができ、経済性に優れたスクリ−ン印刷装置を得ることができる。
【発明を実施するための最良の形態】
【００１５】
以下、本発明に係るスクリ−ン印刷装置を図面を参照して詳細に説明する。
【００１６】
図１乃至図４は本発明に係るスクリ−ン印刷装置の概略を夫々示すもので、図１はスクリ−ン印刷装置の側面説明図、図２は本発明のスクリ−ン印刷装置の印刷テ−ブルの平面説明図、図３は本発明のスクリ−ン印刷装置の印刷テ−ブルの正面説明図、図４は本発明のスクリ−ン印刷装置の印刷テ−ブルの斜視図である。
【００１７】
図１に示す如く、スクリ−ン印刷装置１１は、床面側の基台１３に取付けられた印刷機本体１５を有し、この印刷機本体１５のエアーポケット部１７に印刷テ−ブル２０が取付けられている。この印刷テ−ブル２０は、図２乃至図４に示す如く、複数の分割部、本実施の形態では左右の分割部２１，２２から形成され、通常時左右の分割部２１，２２が一体に連結されている。前記印刷テ−ブル２０には従来公知の機構が設けられる。印刷テ−ブル２０には位置決めピン等が設けられるが、図示説明はこれを省略する。
【００１８】
前記印刷テ−ブル２０の上方には印刷部２５が設けられ、この印刷部２５には版枠２７とこの版枠２７に保持されるスクリーン２９とからなる印刷用スクリ−ン版３１と、前記スクリーン２９に沿って往復動するスキージ３３とを有している。尚、版枠２７は版枠ホルダーに保持される。前記スキージ３３はスキージヘッド３５に保持され、このスキージヘッド３５がガイド機構３７に沿って前後方向に駆動する。尚、印刷部２５の駆動機構の詳細説明はこれを省略する。被印刷物を前記印刷テ−ブル２０の所定位置に順次搬送し、前記スキージ３３により被印刷物をスクリーン２９に供給されたペーストや印刷インク等により連続して印刷する。尚更に、印刷部２５の構成は図示のものに限定されるものではなく、従来公知の種々の構成を適用することができるものである。
【００１９】
前記印刷テ−ブル２０を支持するエアーポケット部１７には、例えば位置決めピンの駆動機構，ワーク検知センサー，平坦度調整機構，助走板駆動機構，真空吸着機構や、時にはコロ搬送機構が収納され、これらの各種機構の配線及び配管も収納されている。尚、図３中、符号５１は真空吸着機構、５２は配管、５３はワーク検知センサー、５４は配線である。また、エアーポケット部１７の内部の構成も従来公知の種々の構成を適用することができるものである。
【００２０】
図２乃至図４に示す如く、印刷テ−ブル２０の左右の分割部２１，２２の前後位置には夫々上下昇降手段４１が設けられる。この上下昇降手段４１は、例えば印刷テ−ブル２０の一方の分割部２２の端部に上下方向に螺設されたねじ穴に連設された雌ねじ４３と、この雌ねじ４３と螺合するスクリューシャフト４５と、このスクリューシャフト４５の上部に連結された水平部と垂直部とを有する略Ｌ字状のクランクアーム部４７と、前記エアーポケット部１７の前記スクリューシャフト４５の下端４５ａと対向する位置に設けられた受部４９とを有している。尚、本実施の形態ではナットからなる雌ねじ４３を左右の分割部２１，２２の前後位置のねじ穴の下面に固着している。
【００２１】
前記印刷テ−ブル２０の一方の分割部２２とエアーポケット部１７との連結状態を解除し、前記スクリューシャフト４５を一方の分割部２２の前端と後端に配置した２人の作業員により雌ねじ４３に螺合させ、２人の作業員によりクランクアーム部４７を略同一の速度で右方向に回転させ、前記スクリューシャフト４５を右方向に回転させることにより、スクリューシャフト４５の下端４５ａが前記エアーポケット部１７の受部４９に受けられ、相対的に一方の分割部２２が上昇する。
【００２２】
また左方向に回転すれば一方の分割部２２が下降する。このように、前記印刷テーブル２０の一方の分割部２２を上下方向に上昇または下降させることができる。尚、１人の作業員によりクランクアーム部４７を少しづつ回転させることもできる。また同様に他方の分割部２１をスクリューシャフト４５により上下昇降させることができること明らかであろう。
【００２３】
尚、本実施の形態では、上下昇降手段４１としてスクリューシャフト４５と雌ねじ４３との螺合、及びクランクアーム部４７を用い、前記エアーポケット部１７に設けた受部４９にスクリューシャフト４５の下端４５ａを当接させて受けるように構成したが、印刷テーブル２０の分割部２１，２２の端部と、この印刷テーブル２０の分割部２１，２２の端部と対向する前記エアーポケット部１７との間に昇降ジャッキを着脱自在に設けるものであっても、油圧シリンダー等を用いるものであっても同様に印刷テーブル２０の分割部２１，２２を上昇または下降させることができる。
【００２４】
従って、図３及び図４に示す如く、何れか一方の分割部、例えば分割部２２を上昇させ、分割部２２とエアーポケット部１７との間に３００〜４００mmの間隔を設ければ、エアーポケット部１７に収納された位置決めピンの駆動機構，ワーク検知センサー，平坦度調整機構，助走板駆動機構，真空吸着機構や、時にはコロ搬送機構を点検し、調整することができ、またこれらの各種機構の配線及び配管を点検し、調整作業を簡易迅速に行うことができる。
【００２５】
これらの作業は少人数の作業員により行うことができ、省力化でき、しかも効率のよい作業を行うことができる。点検調整作業の終了後、上昇している分割部２２を下降させ、分割部２２とエアーポケット部１７とを所定の連結状態とし、次いで上下昇降手段４１としてのスクリューシャフト４５とクランクアーム部４７を取外し、所定の保管場所に保管する。
【図面の簡単な説明】
【００２６】
【図１】本発明に係るスクリ−ン印刷装置の概略を示す側面説明図。
【図２】本発明に係るスクリ−ン印刷装置の印刷テ−ブルの平面説明図。
【図３】本発明に係るスクリ−ン印刷装置の印刷テ−ブルの正面説明図。
【図４】本発明に係るスクリ−ン印刷装置の印刷テ−ブルの斜視図。
【符号の説明】
【００２７】
１１    スクリ−ン印刷装置
１３    基台
１５    印刷機本体
１７    エアーポケット部
２０    印刷テ−ブル
２１    印刷テ−ブルの分割部
２２    印刷テ−ブルの分割部
２５    印刷部
２７    版枠
２９    スクリーン
３１    印刷用スクリ−ン版
３３    スキージ
３５    スキージヘッド
３７    ガイド機構
４１    上下昇降手段
４３    雌ねじ
４５    スクリューシャフト
４５ａ  下端
４７    クランクアーム部
４９    受部
５１    真空吸着機構
５２    配管
５３    ワーク検知センサー
５４    配線
【図１】
2006213038.tif 000003
【図２】
2006213038.tif 000004
【図３】
2006213038.tif 000005
【図４】
2006213038.tif 000006